(57)【要約】【課題】アルバムとして製本したときに見開きのアルバム台紙が完全に水平に開くとともに、印刷障害や表面加工障害の起こらないアルバム台紙の製造方法及びアルバム台紙を提供する。【解決手段】写真等の画像が直接印刷される矩形状のアルバム台紙４０の製造方法において、ベース材３０の少なくとも片面に画像を印刷する印刷工程１００と、ベース材３０の表面に艶出し加工を施す表面加工工程２００と、画像が印刷されたベース材３０ののど側縁部３０ａに、のどＧに平行に延びる長孔３１を形成する孔開け工程３００と、長孔３１に対してベース材３０の表裏両面からテープ３２を貼着し、長孔３１を塞ぐ貼着工程４００と、ベース材３０の天側縁部３０ｂ及び地側縁部３０ｃをベース材３０の天に平行に切断し、長孔３１の天側端部３１ａ及び地側端部３１ｂを切り落とす切断工程５００と、を備える。【選択図】図１
2011046049.tif 000002
【特許請求の範囲】
【請求項１】
写真等の画像が直接印刷される矩形状のアルバム台紙の製造方法において、
前記アルバム台紙用のベース材の少なくとも片面に画像を印刷する印刷工程と、
前記画像が印刷されたベース材ののど側縁部に、前記のどに平行に延びる長孔を形成する孔開け工程と、
前記長孔に対して前記ベース材の表裏両面からテープを貼着し、前記長孔を塞ぐ貼着工程と、
前記ベース材の天側縁部及び地側縁部を前記ベース材の天に平行に切断し、前記長孔の天側端部及び地側端部を切り落とす切断工程と、を備えることを特徴とするアルバム台紙の製造方法。
【請求項２】
前記印刷工程の後処理として、前記ベース材の表面に艶出し加工を施す表面加工工程を設けたことを特徴とする請求項１に記載のアルバム台紙の製造方法。
【請求項３】
写真等の画像が直接印刷される矩形状の台紙本体と、
一辺を前記台紙本体の一辺に対し平行に離間して配置される矩形状ののど側台紙と、
前記台紙本体の一辺と前記のど側台紙の一辺とを平行に離間した状態で互いに固定されるように、前記台紙本体及び前記のど側台紙の表裏両面からテープを貼着してなる可撓部と、を備えることを特徴とするアルバム台紙。
【請求項４】
前記のど側台紙の材質は、前記台紙本体と同じ材質であることを特徴とする請求項３に記載のアルバム台紙。
【請求項５】
前記のど側台紙の材質は、前記台紙本体と異なる材質であることを特徴とする請求項３に記載のアルバム台紙。
【発明の詳細な説明】
【技術分野】
【０００１】
本発明は、写真等の画像が直接印刷される矩形状のアルバム台紙の製造方法及びアルバム台紙に関するものである。
【背景技術】
【０００２】
近年のデジタルカメラの普及により、写真が一般ユーザーにとって一段と身近なものとなり、それに伴って一般ユーザーがアルバムとして製本する機会も増えている。
このようなアルバムの各ページを構成するアルバム台紙には、印刷された写真を透明なポケットに挿入して写真を配置する簡易なタイプや、卒業アルバムや結婚式のアルバムのように写真等の画像をアルバム台紙に直接印刷する高級なタイプがある。
【０００３】
この直接画像が印刷されるタイプのアルバム台紙を製造するためのベース材として、図１０に示すようなシート素材２０が開示されている（例えば、特許文献１参照）。
【先行技術文献】
【特許文献】
【０００４】
【特許文献１】米国特許出願公開第２００８／０２２０２１１号明細書
【０００５】
特許文献１に記載の発明は、ベース材１０に開口部１１を形成し、その後に柔軟性のあるフィルム１２でベース材１０の開口部１１を覆うものである。このベース材１０からアルバム台紙２５が切り出される。
このシート素材２０から製造されたアルバム台紙２５は、フィルム１２が柔軟であるので、アルバムとして製本したときに見開きのアルバム台紙２５が完全に水平に開き、視認性に優れるという利点がある。
【発明の概要】
【発明が解決しようとする課題】
【０００６】
しかしながら、特許文献１に記載の発明においては、ベース材１０に形成された開口部１１を覆うようにフィルム１２を貼着し、そのような加工がなされたベース材１０又はアルバム台紙２５に対して印刷を行うところ、開口部１１が形成されて大きくベース材１０が凹んでいるので、印刷障害が発生し易いといった問題がある。
それに加え、ベース材１０と重なるフィルム１２部分に微小な凸部が発生し易く、そのフィルム１２部分を完全な平面とすることは難しいので、これによっても障害が発生し易い。
また、印刷後にベース材１０に対して艶出し加工等の表面加工をする段階においても同様の理由で障害が発生し易い。
【０００７】
そこで、本発明の目的とするところは、アルバムとして製本したときに見開きのアルバム台紙が完全に水平に開くとともに、印刷障害や表面加工障害の起こらないアルバム台紙の製造方法及びアルバム台紙を提供することにある。
【課題を解決するための手段】
【０００８】
上記の目的を達成するために、本発明の請求項１に記載のアルバム台紙（４０）の製造方法は、写真等の画像が直接印刷される矩形状のアルバム台紙（４０）の製造方法において、前記アルバム台紙（４０）用のベース材（３０）の少なくとも片面に画像を印刷する印刷工程（１００）と、前記画像が印刷されたベース材（３０）ののど側縁部（３０ａ）に、前記のど（Ｇ）に平行に延びる長孔（３１）を形成する孔開け工程（３００）と、前記長孔（３１）に対して前記ベース材（３０）の表裏両面からテープ（３２）を貼着し、前記長孔（３１）を塞ぐ貼着工程（４００）と、前記ベース材（３０）の天側縁部（３０ｂ）及び地側縁部（３０ｃ）を前記ベース材（３０）の天（Ｈ）に平行に切断し、前記長孔（３１）の天側端部（３１ａ）及び地側端部（３１ｂ）を切り落とす切断工程（５００）と、を備えることを特徴とする。
【０００９】
また、請求項２に記載のアルバム台紙（４０）の製造方法は、前記印刷工程（１００）の後処理として、前記ベース材（３０）の表面に艶出し加工を施す表面加工工程（２００）を設けたことを特徴とする。
【００１０】
また、請求項３に記載のアルバム台紙（４０）は、写真等の画像が直接印刷される矩形状の台紙本体（３３）と、一辺を前記台紙本体（３３）の一辺に対し平行に離間して配置される矩形状ののど側台紙（３４）と、前記台紙本体（３３）の一辺と前記のど側台紙（３４）の一辺とを平行に離間した状態で互いに固定されるように、前記台紙本体（３３）及び前記のど側台紙（３４）の表裏両面からテープ（３２）を貼着してなる可撓部（３５）と、を備えることを特徴とする。
【００１１】
また、請求項４に記載のアルバム台紙（４０）は、前記のど側台紙（３４）の材質は、前記台紙本体（３３）と同じ材質であることを特徴とする。
【００１２】
また、請求項５に記載のアルバム台紙（４０）は、前記のど側台紙（３４）の材質は、前記台紙本体（３３）と異なる材質であることを特徴とする。
【００１３】
ここで、上記括弧内の記号は、図面および後述する発明を実施するための形態に掲載された対応要素または対応事項を示す。
【発明の効果】
【００１４】
本発明の請求項１に記載のアルバム台紙の製造方法によれば、アルバム台紙用のベース材の少なくとも片面に画像を印刷する印刷工程の後、画像が印刷されたベース材ののど側縁部に、のどに平行に延びる長孔を形成する孔開け工程を備えるので、画像の印刷が容易である。つまり、従来例で示したように孔開け工程の後に印刷工程となる場合には、ベース材表面から大きく凹んだ長孔が印刷の障害となるが、印刷工程の後に孔開け工程とする場合には、印刷に際して障害となる長孔がないので印刷が容易である。
【００１５】
また、孔開け工程の後に、長孔に対してベース材の表裏両面からテープを貼着し、長孔を塞ぐ貼着工程を備えるので、画像が印刷された上面にテープが貼着される。つまり、貼着されたテープの表面が完全な平面とならなくても、既に印刷は完了しているので、テープによって印刷障害は発生しない。
また、貼着工程の後に、ベース材の天側縁部及び地側縁部をベース材の天に平行に切断し、長孔の天側端部及び地側端部を切り落とす切断工程を備えるので、画像が印刷されたベース材より軟質であるテープ部分において、容易に折れ曲がる。よって、大部分が厚手の素材で構成されるアルバム台紙であっても、このアルバム台紙を用いて作成された写真アルバムを開くと、見開きのアルバム台紙が完全に水平に開くので、アルバム台紙に印刷された画像の視認性に優れる。
【００１６】
また、請求項２に記載のアルバム台紙の製造方法によれば、請求項１に記載の発明の作用効果に加え、印刷工程の後処理として、ベース材の表面に艶出し加工を施す表面加工工程を設けたので、艶出し加工も長孔に影響されず容易に行うことができる。しかも、長孔が形成された際の長孔の縁にまで確実に艶出し加工を行うことができる。
【００１７】
また、請求項３に記載のアルバム台紙によれば、台紙本体とのど側台紙とを備え、さらに台紙本体の一辺とのど側台紙の一辺とを平行に離間した状態で互いに固定されるように、台紙本体及びのど側台紙の表裏両面からテープを貼着してなる可撓部を備えるので、可撓部において容易に折れ曲がる。よって、大部分が厚手の素材で構成されるアルバム台紙であっても、このアルバム台紙を用いて作成された写真アルバムを開くと、見開きのアルバム台紙が完全に水平に開くので、アルバム台紙に印刷された画像の視認性に優れる。
【００１８】
また、請求項４に記載のアルバム台紙によれば、請求項３に記載の発明の作用効果に加え、のど側台紙の材質は台紙本体と同じ材質であるので、アルバム台紙作成において複数の材質のベース材を用意する必要がなく、ベース材調達やベース材の保管等のコストが低廉となる。
【００１９】
また、請求項５に記載のアルバム台紙によれば、請求項３に記載の発明の作用効果に加え、のど側台紙の材質は台紙本体と異なる材質であるので、画像が印刷されないのど側台紙を、台紙本体よりも低廉な材質とすることができる。よって、アルバム台紙の製造コストが低廉とすることができる。
【００２０】
なお、本発明のアルバム台紙の製造方法のように、ベース材に印刷する印刷工程の後に、ベース材ののど側縁部に長孔を形成する孔開け工程を備え、その後に貼着工程及び切断工程を設けた点は、上述した特許文献１には全く記載されていない。
【図面の簡単な説明】
【００２１】
【図１】本発明の第一実施形態に係るアルバム台紙の製造方法における製造工程を示す図である。
【図２】図１に示す製造工程で用いるベース材を示す平面図である。
【図３】図１に示す製造工程のうち、孔開け工程を示す平面図である。
【図４】図１に示す製造工程のうち、貼着工程を示す平面図である。
【図５】図１に示す製造工程のうち、切断工程を示す平面図である。
【図６】図５に示すアルバム台紙のＡ−Ａ線拡大断面図である。
【図７】図５に示すアルバム台紙を用いたアルバムの側面図である。
【図８】図９に示すアルバム台紙を示す分解図である。
【図９】本発明の第二実施形態に係るアルバム台紙の平面図である。
【図１０】従来例に係るシート素材を示す平面図である。
【発明を実施するための形態】
【００２２】
（第一実施形態）
図１乃至図７を参照して、本発明の第一実施形態に係るアルバム台紙４０の製造方法及びアルバム台紙４０を説明する。
このアルバム台紙４０は、写真等の画像が直接印刷される矩形状のものであり、その製造方法は、印刷工程１００と、表面加工工程２００と、孔開け工程３００と、貼着工程４００と、切断工程５００とを備える。
【００２３】
まず、印刷と印刷状態の長期保存に適した矩形状のベース材３０を用意する。そして印刷工程１００において、事前にパソコン上でレイアウトされた写真をベース材３０の表裏両面に印刷する。特に、アルバムとして製本されたときに見開き両ページに写真が亘る場合には、後の孔開け工程３００で形成される長孔３１に掛かるように写真を印刷しておく。このようなベース材３０は一般のコピー用紙に比べて厚手である。
【００２４】
次に、表面加工工程２００では、写真が印刷されたベース材３０の表面に艶出し加工を施す。ここで、ベース材３０に艶を出す方法としては、印刷された写真の被写体等に応じて、ラミネート加工とするかニス加工とするかを適宜選択する。
【００２５】
次に、孔開け工程３００では、図３に示すように画像が印刷されたベース材３０ののど側縁部３０ａに、のどＧに平行に延びる長孔３１を形成する。このとき、長孔３１の天側端部３１ａがベース材３０の天Ｈに掛からないように、また長孔３１の地側端部３１ｂがベース材３０の地Ｔに掛からないようにする。つまり、長孔３１によってベース材３０ののどＧ側が切り離されないように長孔３１を形成する。また、ベース材３０の長孔３１よりものどＧ側部分は、製本するときにステープラで綴じることができる幅とする。なお、長孔３１の、天Ｈに平行な方向の幅は略３ｍｍである。
【００２６】
次に、貼着工程４００では、図４に示すように、のどＧと平行に延び長孔３１よりも幅広で透明な粘着性のテープ３２を長孔３１に対して貼着し、テープ３２によって長孔３１を完全に塞ぐ。テープ３２はベース材３０より薄く、軟質である。この貼着をベース材３０の表裏両面ともに行う。長孔３１の縁にまで印刷がなされているので、印刷されている写真の一部に掛かるように、上方からテープ３２は貼着されることとなる。
【００２７】
最後に切断工程５００において、図５に示すようにベース材３０の天側縁部３０ｂ及び地側縁部３０ｃをベース材３０の天Ｈに平行に切断し、長孔３１の天側端部３１ａ及び地側端部３１ｂを切り落とす。
【００２８】
つまり、このように製造されたアルバム台紙４０は、別の見方をすれば写真が直接印刷される矩形状の台紙本体３３と、のど側台紙３４と、テープ３２を貼着してなる可撓部３５と、から構成されるといえる。
のど側台紙３４は、小口側の一辺を、台紙本体３３ののどＧ側の一辺に対し平行に離間して配置されている。こののど側台紙３４と台紙本体３３は、一枚のベース材３０を切り分けられたものであるので、のど側台紙３４と台紙本体３３の材質は同じである。
可撓部３５は、台紙本体３３ののどＧ側の一辺と、のど側台紙３４の小口側の一辺とを平行に離間した状態で互いに固定されるように、台紙本体３３及びのど側台紙３４の表裏両面からテープ３２を貼着してなる。つまり、長孔３１において、図６に示すようにテープ３２の粘着面が互いに張り合わされた状態となる。
【００２９】
このようなアルバム台紙４０を同じ向きに複数枚重ね、のど側台紙３４をステープラで綴じて表紙（おもて表紙、裏表紙、背表紙）をつけることで、アルバムとして製本される。このアルバムを開くと、図７のようにアルバム台紙４０は可撓部３５で折れ曲がり、完全に水平に開く。但し、図７においては表紙を省略している。
【００３０】
以上説明した製造方法によれば、アルバム台紙４０の両面に写真を印刷する印刷工程１００の後、写真が印刷されたベース材３０ののど側縁部３０ａに、のどに平行に延びる長孔３１を形成する孔開け工程３００を備えるので、写真の印刷が容易である。つまり、従来例で示したように孔開け工程３００の後に印刷工程１００となる場合には、孔開け工程３００で形成され、ベース材３０表面から大きく凹んだ長孔３１が印刷の障害となるが、印刷工程１００の後に孔開け工程３００とする場合には、印刷に際して障害となる長孔３１がないので印刷が容易である。
【００３１】
また、印刷工程１００の後処理として、ベース材３０の表面に艶出し加工を施す表面加工工程２００を設けたので、艶出し加工も長孔３１に影響されず容易に行うことができる。しかも、長孔３１が形成された際の長孔３１の縁にまで確実に艶出し加工を行うことができる。
さらに、孔開け工程３００の後に、長孔３１に対してベース材３０の表裏両面からテープ３２を貼着し、長孔３１を塞ぐ貼着工程４００を備えるので、写真が印刷された上面にテープ３２が貼着される。つまり、貼着されたテープ３２の表面が完全な平面とならなくても、既に印刷及び表面加工は完了しているので、テープ３２によって印刷障害及び表面加工障害は発生しない。
【００３２】
また、貼着工程４００の後に、ベース材３０の天側縁部３０ｂ及び地側縁部３０ｃをベース材３０の天Ｈに平行に切断し、長孔３１の天側端部３１ａ及び地側端部３１ｂを切り落とす切断工程５００を備えるので、写真が印刷されたベース材３０より軟質であるテープ３２部分において、容易に折れ曲がる。よって、大部分が厚手の素材で構成されるアルバム台紙４０であっても、図７に示すようにこのアルバム台紙４０を複数枚重ね、のど側台紙３４をステープラで綴じて製本されたアルバムを開くと、見開きのアルバム台紙４０が完全に水平に開くので、アルバム台紙４０に印刷された写真の視認性に優れる。
【００３３】
また、このように構成されたアルバム台紙４０によれば、のど側台紙３４の材質は台紙本体３３と同じ材質であるので、アルバム台紙４０作成において複数の材質のベース材３０を用意する必要がなく、ベース材３０調達やベース材３０の保管等のコストが低廉となる。
【００３４】
（第二実施形態）
次に図８と図９を参照して、本発明の第二実施形態に係るアルバム台紙４０の製造方法を説明する。なお、第一実施形態と同一部分には同一符号を付した。
【００３５】
本実施形態の第一実施形態との違いは、台紙本体３３とのど側台紙３４とが最初から切り離された状態であるということであり、製造されるアルバム台紙４０自体は第一実施形態で製造されたアルバム台紙４０と同一である。
【００３６】
まず、印刷工程１００において、台紙本体３３の表裏両面に写真を印刷する。
次に、表面加工工程２００で、印刷された台紙本体３３に艶出し加工を施す。
【００３７】
次に、貼着工程４００において、図８に示すように台紙本体３３ののど側の一辺に対し、のど側台紙３４の小口側の一辺を平行に離間して配置し、この離間した状態で台紙本体３３とのど側台紙３４とが互いに固定されるようにテープ３２で固定する。
ここで、のど側台紙３４には写真が印刷されないので、のど側台紙３４は台紙本体３３の材質とは異なる低廉なものとした。
なお、台紙本体３３をのど側台紙３４と平行に、しかも所定の幅だけ離間させるように配置するために、専用の位置決め冶具を用いた。
【００３８】
以上の工程を経て、図９に示すアルバム台紙４０が完成する。
このような工程で製造されたアルバム台紙４０は、のど側台紙３４の材質が台紙本体３３と異なる低廉な材質であるので、アルバム台紙４０の製造コストを抑えることができる。
また、本実施形態に係るアルバム台紙４０は、第一実施形態に係るアルバム台紙４０とは異なり、その製造工程において切断工程５００がなく、台紙本体３３やのど側台紙３４から切り落とされる部分（ゴミ）が発生しないので、アルバム台紙４０の製造コストを抑えることができ、しかも環境にも優しい。
【００３９】
なお、第一、第二実施形態において、ベース材３０（台紙本体３３）に写真を印刷したが、写真でなくとも画像であればよく、この画像にはイラストや文字、地模様や背景色等を含む。
また、ベース材３０（台紙本体３３）の表裏両面に画像を印刷したが、これに限られるものではなく、少なくとも片面に印刷されればよい。
【００４０】
また、アルバム台紙４０をステープラで綴じて製本したが、製本方法はこれに限られるものではなく、その他の一般に知られている製本方法であってもよい。
また、長孔３１の天Ｈに平行な方向の幅（台紙本体３３とのど側台紙３４との間）を３ｍｍとしたが、これに限られるものではなく、ベース材３０の厚さ等によって適宜変更してもよい。
【００４１】
また、表面加工工程２００はベース材３０表面の艶出し加工であるとしたが、これに限られるものではなく、印刷される画像によっては艶消しや撥水等、艶出しとは異なる表面加工であってもよい。
また、印刷工程１００の後処理として表面加工工程２００を設けたが、これに限られるものではなく、印刷工程１００の後すぐに次の工程としてもよい。
【００４２】
また、第二実施形態において、のど側台紙３４の材質を台紙本体３３より廉価なものとしたが、これに限られるものではなく、製本に適したものとすれば必ずしも廉価なものである必要はない。また、この製造方法によって製造されるアルバム台紙４０であっても、のど側台紙３４の材質を台紙本体３３と同じ材質にしてもよい。
【符号の説明】
【００４３】
１０    ベース材
１１    開口部
１２    フィルム
２０    シート素材
２５    アルバム台紙
３０    ベース材
３０ａ  のど側縁部
３０ｂ  天側縁部
３０ｃ  地側縁部
３１    長孔
３１ａ  天側端部
３１ｂ  地側端部
３２    テープ
３３    台紙本体
３４    のど側台紙
３５    可撓部
４０    アルバム台紙
１００    印刷工程
２００    表面加工工程
３００    孔開け工程
４００    貼着工程
５００    切断工程
Ｇ    のど
Ｈ    天
Ｔ    地
【図１】
2011046049.tif 000003
【図２】
2011046049.tif 000004
【図３】
2011046049.tif 000005
【図４】
2011046049.tif 000006
【図５】
2011046049.tif 000007
【図６】
2011046049.tif 000008
【図７】
2011046049.tif 000009
【図８】
2011046049.tif 000010
【図９】
2011046049.tif 000011
【図１０】
2011046049.tif 000012